(57)【要約】【課題】表示部が大きく、かつ、スピーカーが装置裏面に設けられていない音声発生装置を提供する。【解決手段】  スピーカー及びセンサー４１が接続された制御部４４を備えた音声発生ユニット４と、中空箱状で音声発生ユニットをその内部で保持する外ケース２とを備え、センサー４１により人体を検知すると、予め記憶された音声を前記スピーカーから出力する音声発生装置であって、前記音声発生ユニット４のスピーカー及びセンサー４１が設けられた面と、この面に対向する外ケース２の内壁面との間に空隙が設けられていると共に、外ケースの前記内壁面に垂直な面のうち、少なくとも１つが開口となっていることを特徴とする音声発生装置。【選択図】図２
2009177729.tif 000002
【特許請求の範囲】
【請求項１】
スピーカー及びセンサーが接続された制御部を備えた音声発生ユニットと、中空箱状で音声発生ユニットをその内部で保持するケースとを備え、センサーにより人体を検知すると、予め記憶された音声を前記スピーカーから出力する音声発生装置であって、
前記ケースの一面を表示面とすると共に、前記スピーカーを、この表示面の内壁に向かって、内壁との間に空隙が設けられるように音声発生ユニットに設置し、前記空隙は、前記内壁に垂直な面のうち、少なくとも一つの方向に開放されていることを特徴とする音声発生装置。
【請求項２】
前記ケースが、前記表示面を有すると共に側方が開放された矩形筒状の外ケースと、前記音声発生ユニットが収納されると共に前記スピーカーが露出されるための開口が設けられた筐体とからなり、
前記筐体は、前記外ケースの開放された側方から外ケース内に前記空隙を設けた状態で挿入され保持されると共に、この側方から出入自在であるように構成されたことを特徴とする請求項１記載の音声発生装置。
【請求項３】
前記筐体の開口が設けられた面の辺部には、支持部が切り起こしにより設けられ、支持部は、前記筐体の開口が設けられた面に対向する前記表示面の内壁面に当接してこの面を支持するように構成されていることを特徴とする請求項２記載の音声発生装置。
【請求項４】
前記音声発生ユニットのスピーカー、センサー、及び制御部を固定するための固定部材と、前記ケースとが紙材で構成されているものであることを特徴とする請求項１〜３のいずれかに記載の音声発生装置。
【請求項５】
前記表示面が、前記ケースを構成する面のうち最も面積が広い面であることを特徴とする１〜４のいずれかに記載の音声発生装置。
【発明の詳細な説明】
【技術分野】
【０００１】
本発明は音声発生装置に関する。
【背景技術】
【０００２】
近年、販売店等では、商品宣伝用音声発生装置が用いられるようになっている。この音声発生装置には、商品宣伝用の表示部が設けられ、この表示部に宣伝用の広告文字、写真等が設けられるとともに、音声、音楽等により商品の宣伝広告を行うようになっている。このため、装置は、商品の近傍に置かれている。
【０００３】
このような商品として、この商品の設置箇所を購買者が通過しようとすると、装置センサーが人体を検知し、予め設けられた音声等を所定期間発生させ、商品の宣伝を行うよう構成されているものが知られている（例えば、特許文献１参照）。
【特許文献１】特開平７―１１０６９４号公報（請求項１、並びに図１及び図３）
【発明の開示】
【発明が解決しようとする課題】
【０００４】
上記音声発生装置は、装置の前面を商品の宣伝広告を記載する表示面として利用しているので、広い面積に商品宣伝用の広告を貼付又は記載することができる。しかしながら、装置裏面にスピーカーが設けられているために、このスピーカーからの音声を妨げないようにスピーカー前面（装置裏面）に音声を妨げる障害物がないように上記装置を設置しなくてはならない。従って、商品のごく近傍に設置できない場合があるという問題がある。他方で、スピーカーを装置前面に設けると、表示部の面積が小さくなってしまい、商品の宣伝広告を視覚的に行うことができないという問題がある。
【０００５】
そこで、本発明の課題は上記従来技術の問題を解決することにあり、表示部が大きく、かつ、スピーカーが装置裏面に設けられていない音声発生装置を提供しようとするものである。
【課題を解決するための手段】
【０００６】
本発明の音声発生装置は、スピーカー及びセンサーが接続された制御部を備えた音声発生ユニットと、中空箱状で音声発生ユニットをその内部で保持するケースとを備え、センサーにより人体を検知すると、予め記憶された音声を前記スピーカーから出力する音声発生装置であって、前記ケースの一面を表示面とすると共に、前記スピーカーを、この表示面の内壁に向かって、内壁との間に空隙が設けられるように音声発生ユニットに設置し、前記空隙は、前記内壁に垂直な面のうち、少なくとも一つの方向に開放されていることを特徴とする。
【０００７】
本発明の音声発生装置では、スピーカーが表示面の内壁に向かって、即ちスピーカーが音声発生装置の前面に設けられているので、装置裏面に音声を妨げる障害物があってもよく、設置場所が限定されない。ここで、表示面とは商品宣伝用の広告を貼付又は記載し、商品の広告を視覚的に行う面である。この場合に、前記音声発生ユニットのスピーカーが設けられた面と、ケースの内壁面との間に空隙が設けられていることで、スピーカーから出力された音声は、この空隙を通過して空隙から、外に放出されることが可能である。
【０００８】
前記ケースが、前記表示面を有すると共に側方が開放された矩形筒状の外ケースと、前記音声発生ユニットが収納されると共に前記スピーカーが露出されるための開口が設けられた筐体とからなり、前記筐体は、前記外ケースの開放された側方から外ケース内に前記空隙を設けた状態で挿入され保持されると共に、この側方から出入自在であることが好ましい。かかる構成によれば、通常の設置状態では、外ケースで音声発生ユニットを収納した筐体を保持し、例えば電池交換などの音声発生ユニットのメンテナンス時には筐体を引き出して、メンテナンス終了後には筐体を再度外ケースに挿入し、この状態で保持することが可能である。従って、メンテナンス等が容易である。
【０００９】
前記筐体の開口が設けられた面の辺部には、支持部が切り起こしにより設けられ、支持部は、前記筐体の開口が設けられた面に対向する前記表示面の内壁面に当接してこの面を支持するように構成されていることが好ましい。支持部を設けることで、より強固に表示面を支持することが可能である。
【００１０】
前記音声発生ユニットのスピーカー、センサー、及び制御部を固定するための固定部材と、前記ケースとが紙材からなるものであることが好ましい。固定部材と、前記外ケースと、前記筐体とが紙材からなることで、生産コストを抑制でき、かつ環境にもよい。
【００１１】
前記表示面が、前記ケースを構成する面のうち最も面積が広い面であることが好ましい。この表示面に商品の広告などが記載されるので、この面が最も面積が広い面であれば、より高い視覚的効果を得ることが可能である。
【発明の効果】
【００１２】
本発明の音声発生装置によれば、表示部が大きく、かつ、スピーカーが装置裏面に設けられていないので、設置場所を限定しないため、商品の近傍に設置でき、高い広告宣伝効果があるという優れた効果を奏し得る。
【発明を実施するための最良の形態】
【００１３】
以下、本発明の実施の形態を図１〜図３を参照して説明する。
【００１４】
図１は、音声発生装置の斜視図であり、図２は、音声発生装置の分解斜視図である。音声発生装置１は、外ケース２と、外ケース２に挿入されて保持される筐体３とからなる。筐体３内には、音声発生ユニット４（図１及び図２中では図示しない）が収納されている。
【００１５】
外ケース２は平面から構成され、側方は開口部２１ａ及び２１ｂとなっている矩形筒状体である。開口部２１ａ及び２１ｂ間には、直方体状の筐体３が挿入されており、外ケース２は、開口部２１ａ及び２１ｂから筐体３が出入自在となった状態で筐体３を保持できるように構成されている。即ち、外ケース２は、外ケース２を構成する辺のうち、長辺の長さＬ２が筐体３の長手方向の長さＬ３に一致し、外ケース２の開口部２１ａ及び２１ｂの幅Ｗ２は筐体３の幅Ｗ３に一致しているので、筐体３を外ケース２に挿入した場合には、図１に示すように筐体３は外ケース２内に保持されると共に、筐体３を引っ張れば開口部２１ａ及び２１ｂから引き出すことも、また、筐体３を開口部２１ａ及び２１ｂから外ケース２内に挿入することも可能である。このように、筐体３は、外ケース２内に出入自在となった状態で保持されうる。また、図１に示すように、筐体３は外ケース２の後述する裏面２５に接触して配置されており、筐体３と外ケース２との間には、空隙２２が設けられている。この空隙２２は、外ケース２の開口部２１ａ及び２１ｂに連通される。
【００１６】
外ケース２を構成する面のうち、最も面積が広い面のうちの一方を表示面２３とする。この表示面２３には、商品宣伝用の広告を記載・貼付することが可能である。表示面２３は、後述するセンサーと対向するようにセンサー孔２４が設けられている。即ち、表示面２３は、上述したようにセンサー孔２４のみ設けられているので、広い面積を視覚的な商品宣伝に用いることができる。
【００１７】
外ケース２の表示面２３に対向する裏面２５には、音声発生装置１を、設置場所において表示面２３を垂直にした状態で設置するための図示しない設置部材を設けることができるように構成されている。この場合に、外ケース２の裏面２５側にはスピーカーが設けられていないので、従来の裏面にスピーカーが設けられた音声発生装置とは異なり、設置場所は限られない。
【００１８】
外ケース２の表示面２３に対向する筐体３の対向面３１には、センサー用開口３２とスピーカー用開口３３とが設けられている。音声発生ユニット４に設けられたセンサー４１とスピーカー４２とは、それぞれセンサー用開口３２とスピーカー用開口３３とから露出している。センサー４１は、センサー用開口３２及びセンサー孔２４を介して装置外の状況を検出することが可能である。            
【００１９】
また、対向面３１には、対向面３１の長辺上に支持部３４ａ〜３４ｄが設けられている。支持部３４ａ〜３４ｄは、外ケース２の表示面２３の裏側に当接して表示面２３を支持することができるように構成されている。即ち、支持部３４ａ〜３４ｄは、略矩形状であり、その高さは、空隙２２の高さに一致している。この支持部３４ａ〜３４ｄは、対向面３１の周辺部の一部を切り起こして形成され、対向面３１と一体となっている。図中では支持部３４ａ〜３４ｄは４個設けられているが、その数は外ケース２の表示面２３を支持することができれば４個に限られない。また、支持部３４ａ〜３４ｄは、センサー４１及びスピーカー４２の露出を妨げなければどのような位置に設けられていてもよく、さらに切り起こされたものでなくてもよい。
【００２０】
さらにまた筐体３の側面のうち、外ケース２に保持された場合に露出する一の側面３６には、音声発生ユニット４のＯＮ・ＯＦＦを切り換えるスイッチ４３が設けられている。
【００２１】
音声発生ユニット４について図３を用いて以下詳細に説明する。図３は、音声発生ユニット４の詳細を説明するためのブロック図である。
【００２２】
音声発生ユニット４は、制御部４４と、制御部４４に接続されたセンサー４１、スピーカー４２及びスイッチ４３を備え、これらが一つの図示しない固定部材に固定されている。センサー４１及びスピーカー４２は、固定部材上に、センサー用開口３２とスピーカー用開口３３から露出するように配置され、固定されている。制御部４４は、センサー４１により人体が表示面２３側に近づいてきたことを検出すると、制御部中の音声記録部４４１から、記録された音声データを取り出して、この音声をスピーカー４２から出力するように構成されている。
【００２３】
上述した筐体３、外ケース２、固定部材は例えばプラスチックや紙等から構成されている。この場合に、特に紙材で構成されていれば、音声発生装置１の製造コストを抑制することができ、かつ、環境にもよい。
【００２４】
かかる音声発生装置１は、例えば、上述したように外ケース２の裏面に設置部材を設けて、この設置部材より表示面２３を人体が移動する通路側へ向けて商品の陳列棚に設置することが可能である。
【００２５】
通路側に表示面を向けて設置された音声発生装置１では、人体が近づいてきたことをセンサー４１により検出すると、制御部４４は、制御部中の音声記録部４４１から、記録された音声データを取り出して、この音声をスピーカー４２から出力する。この場合に、スピーカー４２から出力された音声は、空隙２２並びに開口部２１ａ及び２１ｂを介して外部に出力されるため、裏面にスピーカー４２が設けられていた従来の音声発生装置よりも音がよい。
【００２６】
このように、本発明の音声発生装置１によれば、表示面２３により視覚的に商品宣伝を行うと共に、スピーカー４２により音声を出力することで、聴覚的にも商品宣伝を行うことができる。
【００２７】
本実施形態においては、外ケース２の開口を長手方向に対して垂直な面に設けたが、外ケース２の開口は、外ケース２の表示面２３及び表示面に対向する面以外の面であれば、かつ、筐体３を収納して保持することができればどの面に設けてもよい。
【００２８】
本実施形態においては、外ケース２を構成する面を表示面２３として設けたが、筐体３の対向面３１側に、所定の空隙を設けて表示面２３を設けてもよい。例えば、外ケース２を用いずに、筐体３の支持部３４上に亘って別の表示面を設けてもよい。
【図面の簡単な説明】
【００２９】
【図１】音声発生装置１の斜視図である。
【図２】音声発生装置１の分解斜視図である。
【図３】制御部４の詳細を説明するためのブロック図である。
【符号の説明】
【００３０】
１            音声発生装置
２            外ケース
３            筐体
４            音声発生ユニット
２１ａ            開口部
２１ｂ            開口部
２２            空隙
２３            表示面
２４            センサー孔
２５            裏面
３１            対向面
３２            センサー用開口
３３            スピーカー用開口
３４            支持部
４１            センサー
４２            スピーカー
【図１】
2009177729.tif 000003
【図２】
2009177729.tif 000004
【図３】
2009177729.tif 000005